(57)【要約】      （修正有）【課題】  製造工程で走行トラブルが起こり易いカットテープを使用することなくフィルムの引裂を促す引裂部を設け、該引裂部により引裂を容易とした包装用フィルムおよびおにぎり包装フィルムを提供する。【解決手段】  フィルムの引裂を促す引裂部３を備え、該引裂部３は、フィルムの一部が内側面で折り返されて厚み方向に積層された領域４において、フィルムが帯状に溶着されて非溶着部分２よりも剛直とされている部分６である。【選択図】  図２
2005145499.tif 000002
【特許請求の範囲】
【請求項１】
被包装物を包装するための包装用フィルムであって、フィルムの引裂を促す引裂部（３）を備え、該引裂部（３）は、フィルムの一部が内側面で折り返されて厚み方向に積層された領域（４）において、フィルムが帯状に溶着されて非溶着部分（２）よりも剛直とされている部分（６）であることを特徴とする包装用フィルム。
【請求項２】
前記積層領域（４）が帯状に形成され、前記引裂部（３）は、前記積層領域（４）と略等しい幅で且つ該積層領域（４）に沿って形成されている請求項１に記載の包装用フィルム。
【請求項３】
前記折り返しがＺ字型になされている請求項１または２に記載の包装用フィルム。
【請求項４】
二軸延伸ポリプロピレンフィルムからなり、両面にヒートシール層を有している請求項１乃至３のいずれかに記載の包装用フィルム。
【請求項５】
前記引裂部（３）がフィルムの端縁まで延びて形成され、該フィルムの端縁の引裂部（３）を挟む両側位置に左右一対のノッチ（１０，１０）が形成されている請求項１乃至４のいずれかに記載の包装用フィルム。
【請求項６】
請求項１乃至５のいずれかに記載の包装用フィルムが、短手幅方向中央部に長手幅方向に沿って前記引裂部（３）が形成されている矩形状のフィルム片に形成され、該第一フィルム片と、その片面側に配置された第一フィルム片と同形の第二フィルム片とが外周縁で溶着されて扁平な袋体に形成されてなることを特徴とするおにぎり包装フィルム。
【発明の詳細な説明】
【技術分野】
【０００１】
本発明は、包装用フィルムおよびおにぎり包装フィルムに関するものであり、詳しくはフィルムの引裂を促す引裂部を備えた包装用フィルムおよびおにぎり包装フィルムに関する。
【背景技術】
【０００２】
おにぎりやサンドイッチ等の包装袋には、その引裂（解袋）を促すため、引裂方向に沿って細帯状のカットテープが取り付けられている。
【０００３】
この包装袋は、特許文献１に記載の如く、例えば、以下の工程を経て製造される。即ち、所定幅を有する表裏のフィルムのロール状原反を上下に配置し、その間にカットテープのロール状原反を配置する。そして、表裏のフィルムの一定長を間歇的に製袋装置側に供給するとともに、一包装袋を構成する各袋原体の略中心線上に位置するように表フィルムの下面側にカットテープを巻き出して、該カットテープを表フィルムの下面に接着する。その後、表裏のフィルムをカットテープを挟んで重ね合わせて所定箇所で溶着、溶断等した後、幅方向（フィルムの供給方向と直交する方向）に切断して個々の袋原体に分離する。
【特許文献１】特開平７−２９０６１０号公報
【発明の開示】
【発明が解決しようとする課題】
【０００４】
しかしながら、このようなカットテープは幅が細く、安定した巻き出しを行うことがそもそも困難であって捩れや巻き付き等の走行トラブルが起こり易く、例えば、得られた包装袋によって連続して握り飯を包装して手巻きおにぎりを製造する場合において、一旦このようなトラブルが起こると、２〜３時間製袋装置を停機させる必要がある場合があり、これにより握り飯の原料のご飯が固まる等して多大な損失を蒙ることがあった。
【０００５】
本発明は、上述した問題に鑑みてなされたものであり、製造工程で走行トラブルが起こり易いカットテープを使用することなくフィルムの引裂を促す引裂部を設け、該引裂部により引裂を容易とした包装用フィルムを提供することを目的とする。
【課題を解決するための手段】
【０００６】
本発明に係る包装用フィルムは、被包装物を包装するための包装用フィルムであって、フィルムの引裂を促す引裂部を備え、該引裂部は、フィルムの一部が内側面で折り返されて厚み方向に積層された領域において、フィルムが帯状に溶着されて非溶着部分よりも剛直とされている部分であることを特徴とする。
【０００７】
該包装用フィルムによれば、製造工程で走行トラブルが起こり易いカットテープを使用することなくフィルムの引裂を促す引裂部を設けることができる。
【０００８】
前記包装用フィルムにあっては、前記積層領域が帯状に形成され、前記引裂部は、前記積層領域と略等しい幅で且つ該積層領域に沿って形成されていることが好ましい。
【０００９】
上記好ましい構成によれば、引裂部の幅方向両縁部に位置する厚さの薄い部分（フィルムが１枚の厚さの部分）に引裂線を形成しながら包装用フィルムを引き裂くことができるようになり、引裂がより容易に行えるようになる。
【００１０】
前記包装用フィルムにあっては、前記折り返しがＺ字型になされていることが好ましい。
【００１１】
上記好ましい構成によれば、一回折り返すことのみでフィルムが３層に積層された領域が得られる。
【００１２】
前記包装用フィルムにあっては、二軸延伸ポリプロピレンフィルムからなり、両面にヒートシール層を有していることが好ましい。
【００１３】
上記好ましい構成によれば、フィルム自体の剛性が高まるため引裂がより容易に行えるようになり、しかも、両面にヒートシール層が設けられているため、ヒートシール性が高まり、例えば、フィルムをＺ字型に折り返して積層する場合に、該フィルムが積層された領域において対向するフィルム面にそれぞれヒートシール層が形成されるようになる。
【００１４】
前記包装用フィルムにあっては、前記引裂部が包装用フィルムの端縁まで延びて形成され、該包装用フィルムの端縁の引裂部を挟む両側位置に左右一対のノッチが形成されていることが好ましい。
【００１５】
上記好ましい構成によれば、左右一対のノッチに挟まれた部分を摘み部とし、これを摘んで引裂部を所定方向に引っ張ることにより、包装用フィルムをより容易に引き裂くことができるようになる。
【００１６】
また、本発明に係るおにぎり包装フィルムは、上記した包装用フィルムが短手幅方向中央部に長手幅方向に沿って前記引裂部の形成されている矩形状のフィルム片に形成され、該第一フィルム片と、その片面側に配置された第一フィルム片と同形の第二フィルム片とが外周縁で溶着されて扁平な袋体に形成されてなるおにぎり包装フィルムである。
【００１７】
該おにぎり包装フィルムによれば、引裂部によって包装用フィルムを容易に引き裂くことができるようになる。
【発明の効果】
【００１８】
以上のように、本発明に係る包装用フィルムによれば、製造工程で走行トラブルが起こり易いカットテープを使用することなくフィルムの一部をフィルムの引裂を促す引裂部とすることで、該引裂部により引裂を容易とすることができる。
【００１９】
また、本発明に係るおにぎり包装フィルムによれば、引裂部によって包装用フィルムを容易に引き裂くことができるようになり、その開封がより簡便になされ、包装された握り飯を容易に取り出し得るようになる。
【発明を実施するための最良の形態】
【００２０】
以下、本発明に係る包装用フィルムの一実施形態について図面を参照しながら説明する。図１は、本実施形態の包装用フィルムの平面図である。該包装用フィルム１は、略矩形状に形成されており、フィルムの引裂を促す引裂部３を備えている。
【００２１】
該引裂部３は、フィルムの一部がその内側面で折り返されて厚み方向に積層された領域（図１においては図示せず。以下、積層領域という。）において、フィルムが帯状に熱溶着（ヒートシール）されてなる部分であり、包装用フィルム１の非溶着部分（熱溶着されていない部分）２よりも、熱溶着されることによって剛直（剛性の高い状態）とされている。図１に示す包装用フィルム１においては、前記引裂部３は、包装用フィルム１の短手幅方向中央部に上側のフィルム端縁から下側のフィルム端縁に向けて形成されている。
【００２２】
本実施形態の包装用フィルム１は以上の構成からなり、その引裂部３を形成するには、まず、図２（ａ）に示すように、フィルムをその内側面でＺ字型に折り返して厚み方向に３層積層された領域４（以下、積層領域４という。）を包装用フィルム１の長手幅方向に帯状に形成する。
【００２３】
次に、図２（ｂ）に示すように、所定温度に加熱された熱板または加熱ロールを積層領域４にフィルムの表面側から矢印５の方向に圧着させて積層領域４において上下に重なっているフィルムを熱溶着（ヒートシール）する。ここでは、該積層領域４と略等しい幅で且つ該積層領域４に沿って帯状に溶着する。
【００２４】
これにより、図２（ｃ）に示すように、熱溶着により形成された溶着部分６は、圧着した側と反対側（包装用フィルム１の裏面側）に湾曲するとともに、熱により溶着部分６におけるフィルムが変質して該包装用フィルム１の非溶着部分２（図１参照）よりも剛直と（剛性が高く）なる。この帯状の溶着部分６が、図１に示す引裂部３となる。
【００２５】
該包装用フィルム１によれば、製造工程で走行トラブルが起こり易いカットテープを使用することなくフィルムの一部をフィルムの引裂を促す引裂部３とすることで、該引裂部３によって引裂を容易に行うことができる。
【００２６】
本実施形態の包装用フィルム１では、積層領域４と略等しい幅で且つ該積層領域４に沿って帯状に引裂部３が形成されているので、該引裂部３を摘んで包装用フィルム１の長辺方向に引っ張ると、引裂部３の幅方向両縁部に位置する厚さの薄い部分（包装用フィルム１が１枚の厚さの部分）に引裂線が形成されるため、包装用フィルム１の引裂がより容易に行えるようになっている。
【００２７】
また、フィルムの材質は、特に限定されないが、ヒートシール性を有する熱可塑性樹脂が好ましく、中でも衛生面で優れるとともに、燃焼の際に有毒ガスを発生しないため環境保全性にも優れるポリエチレンやポリプロピレンが好ましい。特にフィルムとして二軸延伸ポリプロピレンフィルム（ＯＰＰ）を使用すると、透明性や耐熱性に優れる等のポリプロピレン材質の利点が得られる上、フィルム自体の剛性が高まるため引裂がより容易に行えるようになる。
【００２８】
また、フィルムは、その両面（表裏面）にヒートシール層を有していることが好ましい。これにより、ヒートシール性が高められ、上述のように、フィルムをＺ字型に折り返すことにより積層領域４を形成する場合に、該積層領域４において対向するフィルム面にそれぞれヒートシール層が形成されるため、フィルムの熱溶着がより確実に行えるようになる。尚、かかるヒートシール層の形成方法としては、熱可塑性樹脂をフィルム面にドライラミネートや押出ラミネート等により積層する方法等が適用できる。
【実施例】
【００２９】
以下、実施例により、本発明を更に詳細に説明する。本実施例では、包装用フィルム１は、手巻きおにぎりに用いられるおにぎり包装フィルムに適用されており、図３に示すように、該おにぎり包装フィルム８は、略矩形状に形成された包装用フィルム（表フィルム）１（フィルム片）と、該包装用フィルム１の裏面側に配置された該包装用フィルム１と同形の裏フィルム７（フィルム片）とからなる。
【００３０】
該包装用フィルム１は、短手幅方向中央部に上側のフィルム端縁から下側のフィルム端縁に向けて形成された引裂部３を備えており、各フィルム端縁の引裂部３を挟む両側位置に左右一対のノッチ１０，１０が形成されている。そして、この左右一対のノッチ１０，１０に挟まれた部分によって摘み部９が形成されている。
【００３１】
該裏フィルム７は、左右一対の略矩形状のフィルム片７ａ，７ａからなり、両フィルム片７ａ，７ａは、包装用フィルム１の左右片半部に外周縁を合わせるとともにそれぞれの内縁部を重ね合わせることで、包装用フィルム１の短手幅方向中央部に長手幅方向に沿って帯状の重なり部７ｂを形成するように配置されている。更に、包装用フィルム１と裏フィルム７は、それぞれの外周縁をシール部１１，１１ａにより熱溶着されて扁平な袋体に形成されており、シール部１１，１１ａに囲まれた内部（袋体の内部）に、握り飯を被包し得る大きさの矩形状の海苔１２が収容されている。
【００３２】
前記包装用フィルム１は、延伸されて該延伸方向に引裂方向性が付与された略矩形状の二軸延伸フィルムからなり、詳しくは、延伸方向を長手幅方向に一致させた二軸延伸ポリプロピレンフィルムからなる。また、前記裏フィルム７は、表裏フィルム１，７の熱溶着性を良好とする観点から、ポリプロピレンフィルムからなる。
【００３３】
このおにぎり包装フィルム８による握り飯の包装は、例えば、裏フィルム７上に握り飯を載せ、二つ折り状とした包装フィルム８を握り飯の側面に沿うように密着させるとともに、包装フィルム８の両端隅部１３，１３を握り飯の背面側に折り込み、これを止着することにより行うことができる。
【００３４】
また、おにぎり包装フィルム８の開封は、包装された握り飯の外側に位置する摘み部９（引裂部３の一端）を摘み、これを包装フィルム８の表面側から引っ張って握り飯の外周を一周させることにより、包装用フィルム１が引裂部３の幅方向両縁部に沿って引裂線を形成しながら引き裂かれておにぎり包装フィルム８が縦方向に左右に分断する。このとき、裏フィルム７が重なり部分７ｂで各フィルム片７ａに分離されるので、包装された握り飯が海苔１４に巻かれつつ外に取り出される。
【００３５】
このように、左右一対のノッチ１０，１０に挟まれた部分を摘み部９とすることにより、引裂部３によって包装用フィルム１をそのフィルム縁部からより容易に引き裂くことができるようになり、本実施例のように包装用フィルム１をおにぎり包装フィルム８に適用した場合には、その開封がより簡便になされ、包装された握り飯を容易に取り出し得るようになる。
【００３６】
このおにぎり包装フィルム８は、以下のようにして製造される。即ち、まず、所定幅を有する表裏フィルム１，７のロール状原反を上下に配置する。包装用フィルム１となる表フィルム１ａおよび裏フィルム７をロール状原反から巻き出し、表フィルム１ａを上下のロールでニップしながら走行させ、該ロールで表フィルム１ａの横幅を狭めつつその内側面でＺ字型に折り返して厚み方向に３層積層する。これにより、表フィルム１ａの長手幅方向に帯状の積層領域４が形成される。
【００３７】
続いて、表フィルム１ａを走行させながら、一定温度に加熱された加熱ロールを前記積層領域４に表フィルム１ａの片面側から圧着させて積層領域４において上下に重なっている表フィルム１ａを熱溶着（ヒートシール）することにより（図２（ｂ）参照）、引裂部３を形成する（図２（ｃ）参照）。この場合、圧着は、表フィルム１ａ（包装用フィルム１）の表裏いずれの方向から行っても構わないが、フィルムの溶融部が海苔１２に接着しないように、図３に示す包装用フィルム１の表面側から溶着することが好ましい。この後、包装用フィルム１の下面（裏面）に所定の大きさに形成した複数の矩形状の海苔１２，…を所定位置に配置して重ねる。
【００３８】
そして、包装用フィルム１の下面から裏フィルム７を重ね合わせ、さらに各海苔１２の外周縁部の表裏フィルム１，７を熱溶着して図３に示すシール部１１，１１ａを形成し、次いで、所定箇所で切断して個々のおにぎり包装フィルム８に分離する。その後、包装用フィルム１の上下端縁の引裂部３を挟む両側位置に、従来公知の方法に基いて図３に示す左右一対のノッチ１０，１０をそれぞれ形成する。
【００３９】
尚、上述した実施形態（実施例）では、ヒートシール法によって熱溶着したが、その代わりに、超音波シーラーを用い、超音波振動を包装用フィルム１（表フィルム１ａ）に与えて、溶着部分に発生する摩擦熱により熱溶着しても良い。この超音波シール法によれば、発熱が溶着部分にのみ集中して発生するので、外観上美麗となり、しかも接着強度の高い溶着が可能となる。また、溶着方法は、ヒートシール法、超音波シール法に限られず、その他の方法を適用することもできる。要は、フィルムを厚み方向に積層した領域が溶着されることにより、該溶着部分が包装用フィルム１の非溶着部分よりも剛直となり得るものであれば良い。
【００４０】
また、上述した実施例では、本発明に係る包装用フィルム１をおにぎり包装フィルムに適用した例について説明したが、本発明の包装用フィルムは、かかる用途に限定されず、その他、サンドイッチ等の食品包装用途は勿論のこと、その他の用品の包装用途にも適用することができる。
【００４１】
また、上述した実施形態（実施例）では、引裂部３は、帯状に形成された積層領域４と略等しい幅で且つ該積層領域４に沿うように形成したが、若干引裂性に劣るようになるものの、積層領域４よりも狭い幅で且つ該積層領域４に沿うように（引裂部３の幅方向両縁部に積層領域４が非溶着状態で残るように）形成しても良い。
【００４２】
一方、引裂部３を、積層領域４よりも広い幅で且つ該積層領域４に沿うように形成すると、フィルムが１枚の厚さであって厚みの薄い部分が溶着されるようになり、該溶着部分が自然に（力をかけない状態で）破断してしまう虞があるため、なるべく、上述のように、引裂部３は、その大きさ、形状、および位置が積層領域４と合致するように形成するのが好ましい。
【００４３】
また、上述した実施形態（実施例）では、一回折り返すことのみでフィルムが３層に積層された領域が得られ、折り返しの操作および積層領域４の形成が容易に行えることから、内側面でフィルムの一部をＺ字型に折り返したが、その他の折り返しの方法、例えば、二回折り返りでも良いし、巻き四つ折りでも良い。
【００４４】
また、上述した実施形態（実施例）では、引裂部３が包装用フィルム１の端縁まで延びて形成され、該包装用フィルム１の端縁の引裂部３を挟む両側位置に左右一対のノッチ１０，１０を形成することにより摘み部９を設けたが、引裂部３を包装用フィルム１の端縁まで延長することなく包装用フィルム１の内側面に形成し、該引裂部３の末端位置に引裂部３を内包するように摘み部を設けても良い。これによっても、摘み部を摘んで引裂部３を所定方向に引っ張ることにより、包装用フィルム１をより容易に引き裂くことができるようになる。
【図面の簡単な説明】
【００４５】
【図１】図１は、本発明の一実施形態に係る包装用フィルムの平面図である。
【図２】図２（ａ）〜図２（ｃ）は、同包装用フィルムの形成過程を説明する包装用フィルムの要部断面図（図１のＡ−Ａ方向の断面）を示す。
【図３】図３は、本発明に係る包装用フィルムが適用されたおにぎり包装フィルムの一例を示す平面図である。
【符号の説明】
【００４６】
１…包装用フィルム、２…非溶着部分、３…引裂部、４…積層領域、６…溶着部分
【図１】
2005145499.tif 000003
【図２】
2005145499.tif 000004
【図３】
2005145499.tif 000005